(57)【要約】【課題】蛍光灯を用いた照明器具に、本来取り付けられるべき蛍光灯の代わりに、より消費電力が少ない蛍光灯を取り付け可能とする蛍光灯用器具を提供すること。【解決手段】２つのアダプタ（２、３）と、反射板（４）とを備える蛍光灯用器具（１）であって、前記アダプタの一端に、既設の照明器具に装備された蛍光灯用ソケットに収容される電極ピン（２５）を有する口金部（２２）を備え、前記アダプタの他端に、蛍光灯の電極を収容するソケット部（２３）を備え、２つの前記アダプタが、前記反射板（４）の長手方向の両端部に、各々の前記ソケット部が対向するように固定され、２つの前記アダプタの前記ソケット部の間に、蛍光灯（５）が取り付けられ得る。【選択図】  図１
2010073511.tif 000002
【特許請求の範囲】
【請求項１】
２つのアダプタと、固定手段とを備える蛍光灯用器具であって、
前記アダプタの一端に、既設の照明器具に装備された蛍光灯用ソケットに収容される電極ピンを有する口金部を備え、
前記アダプタの他端に、蛍光灯の電極を収容するソケット部を備え、
２つの前記アダプタが、前記固定手段の長手方向の両端部に、各々の前記ソケット部が対向するように固定され、
２つの前記アダプタの前記ソケット部の間に、蛍光灯が取り付けられ得ることを特徴とする蛍光灯用器具。
【請求項２】
前記固定手段が凹面状の反射板であり、
前記反射板の凹面が鏡面であり、
２つの前記アダプタが、前記反射板の長手方向の両端部の凹面側に、各々の前記ソケット部が対向するように固定されることを特徴とする請求項１に記載の蛍光灯用器具。
【請求項３】
前記反射板に固定された２つの前記アダプタの前記口金部の間隔が、５８０ｍｍであり、
前記反射板に固定された２つの前記アダプタの前記ソケット部の間隔が、２５０ｍｍであることを特徴とする請求項１又は２に記載の蛍光灯用器具。
【請求項４】
前記反射板の凹面が、少なくとも同じ幅の７つの面を備えて形成されることを特徴とする請求項１〜３の何れか１項に記載の蛍光灯用器具。
【請求項５】
２つの前記アダプタ内の一方に安定器を有することを特徴とする請求項１〜４の何れか１項に記載の蛍光灯用器具。
【発明の詳細な説明】
【技術分野】
【０００１】
本発明は、蛍光灯を用いた照明器具に、本来取り付けられるべき蛍光灯（例えば１００Ｖ２０Ｗ）の代わりに、より消費電力が少ない蛍光灯（例えば１００Ｖ１０Ｗ）を取り付け可能とする蛍光灯用器具に関する。
【背景技術】
【０００２】
住宅マンションなどの集合住宅の共用部分に設置された照明器具には、通常１００Ｖ２０Ｗの蛍光灯が設置されているが、近年の省エネルギー意識の高まりによって、この共用部分の蛍光灯による消費電力を低減することが要望されている。
【０００３】
低消費電力用の照明器具の一例として、下記特許文献１には、二灯直列逐次始動形の蛍光灯器具において、２本の蛍光灯の内の１本をダミー管に交換することによって、省電力を実現する方法が開示されている。また、特許文献１には、２本の蛍光灯を１本にすることによって明るさが減少するので、これを軽減するために反射板を備えること（図２〜図５）や、ジョイント器具、耐熱合成樹脂製の管および口金形状部を用いて低電力蛍光灯（例えば１００Ｖ１０Ｗ）を使用すること（図９）も開示されている。
【特許文献１】特開平２０００−２０８２８３号公報
【発明の開示】
【発明が解決しようとする課題】
【０００４】
しかし、特許文献１に開示されている内容は、２本の蛍光灯を直列に接続して点灯させる照明器具に適用可能ではあるが、２本の蛍光灯が並列に接続される照明器具や、１本の蛍光灯のみが取り付けられる照明器具の省電力化には有効ではない。
【０００５】
また、特許文献１の図２〜図５に開示されている反射板は、かさ部に取り付けられるので、かさ部の形状によって、反射板の取り付け位置を調整することが必要となり、現場で容易に設置することができない。
【０００６】
また、特許文献１の図９に開示されたジョイント器具、耐熱合成樹脂製の管および口金形状部を用いる方法では、低電力蛍光灯を保持するためにはジョイント器具が不可欠である。また、地震による振動によって低電力蛍光灯が落下しないように、低電力蛍光灯を安定して保持するには、ジョイント器具に十分な強度が要求される。即ち、水平に設置された場合、低電力蛍光灯と耐熱合成樹脂製の管との結合部分には鉛直下向きの力が働くので、ジョイント器具のみで低電力蛍光灯の落下を防止することは容易ではない。
【０００７】
従って、本発明の目的は、蛍光灯を用いた照明器具に、本来取り付けられるべき蛍光灯（例えば１００Ｖ２０Ｗ）の代わりに、より消費電力が少ない蛍光灯（例えば１００Ｖ１０Ｗ）を取り付け可能とする蛍光灯用器具を提供することにある。
【課題を解決するための手段】
【０００８】
本発明の目的は、以下の手段によって達成される。なお、以下において括弧を付して図面の符号を記載するが、これは、本発明の理解をより容易にするためのものであって、本発明を限定するものでは無い。
【０００９】
本発明に係る蛍光灯用器具は、２つのアダプタ（２、３）と、固定手段（４）とを備える蛍光灯用器具（１）であって、
前記アダプタの一端に、既設の照明器具に装備された蛍光灯用ソケットに収容される電極ピン（２５）を有する口金部（２２）を備え、
前記アダプタの他端に、蛍光灯の電極を収容するソケット部（２３）を備え、
２つの前記アダプタが、前記固定手段（４）の長手方向の両端部に、各々の前記ソケット部が対向するように固定され、
２つの前記アダプタの前記ソケット部の間に、蛍光灯（５）が取り付けられ得ることを特徴としている。
【００１０】
前記固定手段が凹面状の反射板（４）であり、前記反射板の凹面が鏡面であり、２つの前記アダプタが、前記反射板（４）の長手方向の両端部の凹面側に、各々の前記ソケット部が対向するように固定されることができる。
【００１１】
前記反射板に固定された２つの前記アダプタの前記口金部の間隔が、５８０ｍｍであり、前記反射板に固定された２つの前記アダプタの前記ソケット部の間隔が、２５０ｍｍであることができる。
【００１２】
また、前記反射板の凹面は、少なくとも同じ幅の７つの面を備えて形成されることができる。
【００１３】
また、２つの前記アダプタ内の一方に安定器を有することができる。
【発明の効果】
【００１４】
本発明によれば、蛍光灯を用いた既設の照明器具に、本来取り付けられるべき蛍光灯の代わりに、より消費電力が少ない蛍光灯を取り付けることが可能となる。従って、従来よりも消費電力を低減することができ、ＣＯ2の排出量を低減することができる。例えば、１００Ｖ２０Ｗの蛍光灯の代わりに、１００Ｖ１０Ｗの蛍光灯を使用すれば、消費電力を半分に低減することができる。
【００１５】
また、消費電力が少ない蛍光灯を、相互に固定された２つのアダプタで、左右から挟む構造であるので、地震などの振動による蛍光灯の落下を防止することができる。即ち、通常の蛍光灯と同様に照明装置に取り付けることができるので、通常の蛍光灯と同等程度の耐震性を有する。
【００１６】
また、消費電力が少ない蛍光灯と２つのアダプタとが一体として固定されるので、照明器具への脱着は、通常の蛍光灯の脱着と同様に容易である。
【００１７】
また、反射板を備えることによって、消費電力の少ない蛍光灯を用いても明るさの低下を抑制することができる。さらに、反射板が適切に設計されることによって、消費電力の少ない蛍光灯を使用しても、本来の蛍光灯を取り付けた場合よりも明るくすることができる。
【００１８】
また、既設の照明器具に、本発明の蛍光灯用器具を取り付ける場合、通常の蛍光灯と同様に取り付けて、安定器を交換するだけでよいので、作業が非常に簡単である。
【００１９】
また、２つのアダプタの一方の内部に安定器を配置することによって、既設の照明器具への取り付け作業がより簡便になる。
【発明を実施するための最良の形態】
【００２０】
以下、添付の図面を参照して、本発明の実施の形態に関して詳細に説明する。
図１は本発明の実施の形態に係る蛍光灯用器具を示す平面図である。図１の（ｂ）は（ａ）の背面図である。本蛍光灯用器具１は、２つのアダプタ２、３と、反射板４とを備えて構成されている。２つのアダプタ２、３は、例えば図１の（ｂ）に示したように複数のネジ４１によって、反射板４に固定されている。図１の（ａ）には、２つのアダプタ２、３の間に取り付けられた直管型の蛍光灯５をも示している。
【００２１】
図１の（ａ）に示したように、アダプタ２、３は、所定の長さＬ1であり、配置後の両端の間隔が所定の値Ｌ0になるように配置されている。例えば、Ｌ0が約５８０ｍｍ、Ｌ1が約１２５ｍｍである。これは、１００Ｖ２０Ｗの蛍光灯（長さ約５８０ｍｍ）の代わりに、１００Ｖ１０Ｗ（長さ約３３０ｍｍ）を取り付けるのに適した寸法である。
【００２２】
図２は、図１の左側のアダプタ２の構造を示す図である。（ｂ）は断面図、（ａ）は（ｂ）の左側面図、（ｃ）は（ｂ）の右側面図である。アダプタ３も同じ構造を有している。
【００２３】
アダプタ２は、円筒形の筒状部２１と、口金部２２と、ソケット部２３とから構成されている。筒状部２１には、アダプタ２を反射板４に固定するためのネジを取り付け可能なネジ穴２４が形成されている。口金部２２には、一般の直管型蛍光灯（例えば、１００Ｖ２０Ｗ）の口金と同様に、２本の電極ピン２５が形成されている。また、ソケット部２３は、一般の直管型蛍光灯を用いた照明器具と同様に、ソケット穴２６を有し、固定部２３ａと稼動部２３ｂとを備えて構成されている。ソケット穴２６内には、蛍光灯の電極ピンを収容する金属コネクタ（図示せず）が配置されている。蛍光灯の電極ピンをソケット穴に容易に挿入できるように、稼動部２３ｂは固定部２３ａ内に一時的に収容され、その後元の位置に復帰することによって蛍光灯を安定に固定することができる。
【００２４】
このように構成された２つのアダプタ２、３が、図１に示したように、反射板４の両端部に、各々のソケット部２３が対向するように固定されることによって、２つのアダプタ２、３の間に、低消費電力の蛍光灯５を安定に取り付けることができる。
【００２５】
図２では省略しているが、電極ピン２５と、ソケット部２３内に装備された金属コネクタとは、それぞれ対応させて電気的に接続されている。これによって、蛍光灯用器具１が照明装置に取り付けられた場合、蛍光灯５に電力が供給される。
【００２６】
アダプタ２、３を構成する筒状部２１の材料は特に限定されず、所定の強度を有する材料であればよい。例えば、金属（例えばステンレス）、樹脂（例えば耐熱性樹脂）、ガラスなどを用いて形成される。また、口金部２２、ソケット部２３、電極ピン２５、ソケット穴２６の寸法および形状は、ＪＩＳ規格で定められている範囲であればよい。
【００２７】
図３は、反射板４の形状を示す図であり、反射板４の長手方向に垂直な方向に沿った断面図である。図３には、参考に蛍光灯５を破線で示している。
【００２８】
反射板４の断面形状は、蛍光灯５の一部を収容可能な凹形状で、所定の幅Ｗおよび高さＨに形成されている。反射板４の凹面（蛍光灯５に対向する側の面）は、蛍光灯が発する光を効率的に反射するように、鏡面状に形成されている。また、反射板４の断面形状は、多角形状に形成されており、図３では９つの面Ｓ１〜Ｓ９を有するように形成されている。ここで、７つの面Ｓ２〜Ｓ８は、略同じ幅であることが望ましい。両端に位置する面Ｓ１、Ｓ９は、作業上の安全性のために設けられた面であり、効率的に蛍光灯の光を反射するために不可欠なものではない。すなわち、反射板４は、少なくとも７つの面で形成されていればよい。なお、反射板４は、所定の厚さの１枚の板を折り曲げて形成しても、複数の板を接合（例えば溶接）して形成してもよい。
【００２９】
また、反射板４の幅Ｗおよび高さＨは、取り付ける蛍光灯５の種類（大きさ）、反射板４と蛍光灯５との相対位置、および、反射板４によって反射される光の方向性などを考慮して、設計することができる。例えば、１００Ｖ１０Ｗの蛍光灯を採用する場合、反射板４をＷ＝約５５（ｍｍ）、Ｈ＝約２１（ｍｍ）に形成すれば、主として平行の反射光（スポット照明）を生成することができる。また、この形状よりも浅く、例えばＷ＝約６１（ｍｍ）、Ｈ＝約１５（ｍｍ）に反射板４を形成すれば、発散する反射光を生成することができる。
【００３０】
上記した本発明の実施の形態に係る蛍光灯用器具１を、集合住宅（マンションなど）の共有部分などに設置されている照明器具に取り付ける場合、本来の蛍光灯を取り付ける場合と同様に、両端の口金部２２の電極ピン２５を、既設の照明器具のソケットに取り付ければよい。なお、このとき、既設の安定器を、新たな蛍光灯のワット数に応じた安定器に変更することが必要であるが、電気回路を変更する必要はない。例えば、１００Ｖ２０Ｗ蛍光灯用の照明器具に対して、新たに１００Ｖ１０Ｗの蛍光灯を用いた本発明の蛍光灯用器具を取り付ける場合、１００Ｖ２０Ｗ用の安定器を１００Ｖ１０Ｗ用の安定器に交換するだけでよい。
【００３１】
実際に、１００Ｖ２０Ｗ用の蛍光灯を用いた照明器具に、本願発明の蛍光灯用器具に１００Ｖ１０Ｗの蛍光灯を取り付けた場合、消費電力を１／２にすることができ、反射板によって明るさを、本来の１００Ｖ２０Ｗの蛍光灯を取り付けた場合に比べて約１．２倍にすることができた。
【００３２】
なお、本発明は、上記した実施の形態に限定されず、種々変更して実施することができる。例えば、上記では、アダプタ部２、３と反射板４とをネジで固定する場合を説明したが、これに限定されず、溶接や接着剤などの手段によって固定してもよい。
【００３３】
また、筒状部４は、円筒形に限定されず、三角形以上の多角形の筒であってもよい。
【００３４】
また、Ｌ0、Ｌ1は上記の寸法に限定されない。Ｌ0は、取り付け対象とする既設の照明器具に取り付け可能な寸法であればよい。また、Ｌ1は、Ｌ0を定めた場合に、新たに取り付ける低電力用蛍光灯を取り付け可能な寸法であればよい。
【００３５】
また、図１において、反射板４の長さが、アダプタ２、３の間隔Ｌ0よりも少し短い場合を示したが、これに限定されない。反射板４の長さは、既設の照明器具に取り付け可能であればよく、アダプタ２、３の間隔Ｌ0と同じであっても、間隔Ｌ0よりも若干長くてもよい。
【００３６】
また、上記では、既設の安定器を、新たに取り付ける蛍光灯に応じた安定器に変更する場合を説明したが、これに限定されない。例えば、２つのアダプタ２、３の一方の筒状部２１内に、安定器を配置してもよい。この場合、筒状部２１内の安定器の周辺の電気回路は、公知の回路と同じ回路を採用すればよい。従って、既設の電気回路を変更しないように、既設の安定器を取り外した後の電気配線は、対応する配線を直接接続すればよい。
【００３７】
また、上記では、反射板と２つのアダプタとを一体に形成する場合を説明したが、消費電力の低減のみを目的とする場合には、反射板は無くてもよい。但し、その場合にも、２つのアダプタ及び低消費電力の蛍光灯を安定して固定するための手段は必要である。例えば、反射板の代わりに所定幅の板を用いて、この板の両端部に２つのアダプタを固定すればよい。
【００３８】
また、２つのアダプタの長さは等しくなくてもよく、一方のアダプタが他方のアダプタよりも短くてもよい。
【００３９】
また、具体的な一例として、１００Ｖ２０Ｗの蛍光灯の代わりに１００Ｖ１０Ｗの蛍光灯を取り付けるための蛍光灯用器具について説明したが、これらと異なる消費電力の蛍光灯にも適用可能である。例えば、１００Ｖ４０Ｗの蛍光灯の代わりに１００Ｖ２０Ｗの蛍光灯を取り付けるための蛍光灯用器具として実現することができる。この場合、蛍光灯用器具の形状および寸法を適宜変更することが必要である。適用場所としては、駐車場などが考えられる。
【図面の簡単な説明】
【００４０】
【図１】本発明の実施の形態に係る蛍光灯用器具を示す平面図であり、（ｂ）は（ａ）の背面図である。
【図２】本発明の実施の形態に係る蛍光灯用器具を構成するアダプタの構造を示す図であり、（ｂ）は断面図、（ａ）は（ｂ）の左側面図、（ｃ）は（ｂ）の右側面図である。
【図３】本発明の実施の形態に係る蛍光灯用器具を構成する反射板の形状を示す図であり、反射板の長手方向に垂直な方向に沿った断面図である。
【符号の説明】
【００４１】
１      蛍光灯用器具
２、３  アダプタ
４      反射板
５      蛍光灯
２１    筒状部
２２    口金部
２３    ソケット部
２３ａ  固定部
２３ｂ  稼動部
２４    ネジ穴
２５    電極ピン
２６    ソケット穴
【図１】
2010073511.tif 000003
【図２】
2010073511.tif 000004
【図３】
2010073511.tif 000005